(57)【特許請求の範囲】
【請求項１】
全長にわたって同一内径の上下両端開口の筒部12の下端開口面を、該筒部下面へ外周部を固着させた約100 メッシュ以上のネット14で閉塞するフィルター11を設けて、該筒部12下端に内向きフランジ13を付設するとともに、該筒部12を、容器体口頸部外面へ螺合させる周壁２を有する液体噴出ポンプ１から垂下する吸上げパイプ４の下部外面へ着脱可能に固嵌めして、該吸上げパイプ４下端面を上記内向きフランジ１３上面へ当接させたことを特徴とする容器体装着用液体噴出ポンプ。
【請求項２】
全長にわたって同一内径の上下両端開口の筒部12上端から、下外方へ外筒15を上記筒部下端よりも下方まで垂下させると共に、該外筒の下面開口を、該外筒下面へ外周部を固着させた、約100 メッシュ以上のネット14で閉塞するフィルター11を設けて、該筒部12下端に内向きフランジ13を付設するとともに、上記筒部12を、容器体口頸部外面へ螺合させる周壁２を有する液体噴出ポンプ１から垂下する吸上げパイプ４の下部外面へ着脱可能に固嵌めして、該吸上げパイプ４下端面を上記内向きフランジ１３上面へ当接させたことを特徴とする容器体装着用液体噴出ポンプ。
【請求項３】
主筒20と補助筒21とでフィルター11を形成し、上記主筒20は、筒部12上端から下外方へ外筒15を垂下して該外筒下端内面へ係合突条を周設して形成しておき、上記補助筒21は、嵌合筒22下端に付設した外向きフランジ23の下面開口を、該フランジ下面へ外周部を固着させて設けた、約100 メッシュ以上のネット14で閉塞させて形成しておき、上記主筒20の外筒下端部内面へ補助筒の嵌合筒22を、該嵌合筒の下端外面へ周設した凹溝内へ係合突条を嵌合させて、かつ外筒下端面を外向きフランジ23上面へ当接させて嵌合させ、又補助筒下端面を上記筒部12下面よりも下方へ位置させてフィルター11となし、上記フィルターの筒部12を、容器体口頸部外面へ螺合させる周壁２を有する液体噴出ポンプから垂下する液体吸上げパイプ４の下部外面へ着脱可能に固嵌めしたことを特徴とする容器体装着用液体噴出ポンプ。
【請求項４】
筒部12内への吸上げパイプ４下部の嵌合を、筒部下端に内向きフランジ13を付設させて該フランジ上面へ吸上げパイプ４下端面を当接させて行ったことを特徴とする請求項３記載の容器体装着用液体噴出ポンプ。
【発明の詳細な説明】
【０００１】
【発明の属する技術分野】
本発明は容器体装着用の液体噴出ポンプに関する。
【０００２】
【従来の技術】
容器体装着用の液体噴出ポンプとして、シリンダを容器体内へ垂下する縦形のポンプと、トリガー式のポンプとが広く知られており、それ等はいずれも容器体底部まで吸上げパイプを垂下し、ポンプ操作により容器体内液体をシリンダ内へ吸上げ、かつ該シリンダ内をノズルから噴出するよう設けている。
【０００３】
【発明が解決しようとする課題】
上記ポンプは、当初容器体に装着されてポンプ付きの容器として用いられていたが、近時廃棄物の減少、又資源活用の見地からポンプを有しない、いわゆるレフィール用の容器体を設けて当初使用したポンプを、ポンプを有しない予備の容器体に再装着してそのポンプを複数の容器体に付け替えして何回も使用することが行われるようになった。このように１箇のポンプを何回も他の容器体に付け替えて使用すると、容器体内液体中に含まれている微小な浮遊物や、薬液等成分の結晶体、又ポンプ交換の際に容器体内へ入った埃等がポンプ内に蓄積されて目塞り等故障の原因となる。特に泡噴出用ポンプの場合は噴出液体を発泡させるため、液体流出路の要所に約200 メッシュ程度のネットを用いるから、その網目が目塞りするおそれが大となり、そのネットに付着した浮遊物等の除去が困難となる。
【０００４】
本発明は上記吸上げパイプ下端部に、ポンプ交換の際に邪魔とならず、又付着物の除去が容易なフィルターを設けることで、上記ポンプを複数の容器体に対して何回も使用可能としたものである。
【０００５】
【課題を解決するための手段】
第１の手段として筒部12の下端開口面を、該筒部下面へ外周部を固着させた約100 メッシュ以上のネット14で閉塞するフィルター11を設けて、上記筒部12を、容器体口頸部外面へ螺合させる周壁２を有する液体噴出ポンプ１から垂下する吸上げパイプ４の下部外面へ着脱可能に固嵌めした。
【０００６】
第２の手段として筒部12上端から、下外方へ外筒15を上記筒部下端よりも下方まで垂下させると共に、該外筒の下面開口を、該外筒下面へ外周部を固着させた、約100 メッシュ以上のネット14で閉塞するフィルター11を設けて、上記筒部12を、容器体口頸部外面へ螺合させる周壁２を有する液体噴出ポンプ１から垂下する吸上げパイプ４の下部外面へ着脱可能に固嵌めした。
【０００７】
第３の手段として主筒20と補助筒21とでフィルター11を形成し、
上記主筒20は、筒部12上端から下外方へ外筒15を垂下して該外筒下端内面へ係合突条を周設して形成しておき、
上記補助筒21は、嵌合筒22下端に付設した外向きフランジ23の下面開口を、該フランジ下面へ外周部を固着させて設けた、約100 メッシュ以上のネット14で閉塞させて形成しておき、
上記主筒20の外筒下端部内面へ補助筒の嵌合筒22を、該嵌合筒の下端外面へ周設した凹溝内へ係合突条を嵌合させ、かつ外筒下端面を外向きフランジ23上面へ当接させ、又補助筒下端面を上記筒部12下面よりも下方へ位置させてフィルター11となし、
上記フィルターの筒部12を、容器体口頸部外面へ螺合させる周壁２を有する液体噴出ポンプから垂下する液体吸上げパイプ４の下部外面へ着脱可能に固嵌合めした。
【０００８】
第４の手段として、筒部12内への吸上げパイプ４下部の嵌合を、筒部下端に内向きフランジ13を付設させて該フランジ上面へ吸上げパイプ４下端面を当接させて行った。
【０００９】
【発明の実施の形態】
まず図１が示す第１実施形態について説明すると、１は縦形の液体噴出ポンプである。該ポンプは発泡用であり、容器体口頸部外面へ螺合させる周壁２を有し、又上部を大径部3a, 下部を小径部3bとするシリンダ３を有し、該シリンダ下端から液体吸上げパイプ４を垂下する。尚５はシリンダ内から上方付勢されて起立する、ノズル６付きの作動部材である。
【００１０】
吸上げパイプ４の下部外面へはフィルター11を着脱が可能に、又容易には抜け落ちしない程度に固嵌めしている。該フィルターは、筒部12下端に内向きフランジ13を有し、又該フランジの下面開口を、そのフランジ下面へ外周部を固着させて設けた約100 メッシュのネット14で閉塞している。そのネットの固着は上記筒部を合成樹脂材で成形し、その成形の際ネットをインサート成形することで溶着させることが望ましい。
【００１１】
図２は第２実施形態を示す。該第２実施形態の場合も図１と同じ液体噴出ポンプ１を使用している。該実施形態にあっては吸上げパイプ４下部外面へ嵌合させるフィルター11を、下端に内向きフランジ13を有する筒部12上端から、下外方へ凸状に弯曲させて外筒15を上記筒部12下端よりも下方まで垂下させると共に、該外筒の下面開口を、該外筒下面へ外周部を固着させた約100 メッシュのネット14で閉塞している。外筒下端には図示のように外向きフランジ16を付設してもよい。吸上げパイプ４はその下端面を内向きフランジ13上面へ当接させて筒部12内へ着脱が可能に、かつ脱落は不能な程度に固嵌めする。
【００１２】
図３は第３実施形態を示す。該実施形態は、フィルター11を主筒20と該主筒下端へ嵌合させた補助筒21とで形成している。
【００１３】
主筒20は第２実施形態のフィルターとほぼ同一形状をなすもので、図２の場合と同様に、下端に内向きフランジ13を有する筒部12上端から、下外方へ外筒15を上記筒部12よりも下方まで垂下させ、その外筒の下端内面へ係合突条を周設している。又図示例にあってはその係合突条よりも上方の外筒部分内面に複数のリブ17を縦設している。
【００１４】
補助筒21は、嵌合筒22下端に外向きフランジ23を付設し、又そのフランジ下面開口を、該フランジ下面へ外周部を固着させて設けたネット14で閉塞し、嵌合筒22の下端外面には凹溝を周設して、該凹溝内へ既述係合突条を嵌合させることで外筒15の下部内へ嵌合筒22を嵌合させている。図示のように外向きフランジ23上面へは外筒15下端面を、又嵌合筒22上端面はリブ17の下端面へ、それぞれ当接させるとよい。
【００１５】
上記構成としたフィルター11の筒部12内へ吸上げパイプ４下部を着脱可能に固嵌めし、内向きフランジ13上面へ吸上げパイプ下端面を当接させる。
【００１６】
図２および図３の場合においても図１の場合と同様、外筒15下端面、又は補助筒外向きフランジ23下面に対するネット14の固着は、インサート成形で行うとよい。  図２、図３の液体噴出ポンプは図１の場合と同一であるので、同一符号を付することで各部の説明は省略する。
【００１７】
尚上記各実施形態において、フィルター11の網目を約100 メッシュ以上としたが、発泡用液体噴出ポンプの場合は、ポンプ内に有する発泡用のネットの網目を通常約200 メッシュとするから、該網目の目塞り防止のためにはフィルターの網目を200 メッシュ以上、望ましくは255 メッシュ以上とするとよい。
【００１８】
【発明の効果】
本発明は既述構成とするものであり、液体噴出ポンプの吸上げパイプ下部外面に、約100 メッシュ以上のネット14を有するフィルター11を嵌合させたから、そのポンプを装着させた容器体内の液体がなくなった後、該容器体に装着させていたポンプを、ポンプを有しない他の予備用の容器体に装着し直してそのまま使用しても、容器体の液体中に含まれている微小な浮遊物ないし結晶等がそのままポンプ内へ入ることを、上記フィルターで除去でき、それ等浮遊物等がポンプ内に蓄積されることに基因する故障を除去できる。
【００１９】
又フィルター11は吸上げパイプ下部外面へ着脱可能、かつ固嵌めさせたから、フィルターの洗浄によってネットに付着した浮遊物等の除去が容易で、又そのフィルターが脱落することを防止できる。
【００２０】
請求項２の場合は筒部12上端から下外方へ外筒15を筒部下端よりも下方まで垂下させ、その外筒下端面をネット14で閉塞させたから、ネットの面積、つまり網目を通過して吸上げパイプ下端へいたる、液体量を大きく設定できると共に外筒は下外方へ垂下する形状としたから、ポンプ交換に際して容器体内からフィルター11を抜出す際、該フィルターが容器体肩部の内縁等に当ってその抜出しの邪魔となるようなことを防止できる。
【００２１】
請求項３の場合は、上記請求項２の場合と同様の効果を有するほか、フィルター11を主筒20と補助筒21とで形成し、補助筒下端開口をネット14で閉塞して該補助筒の嵌合筒22を、主筒の外筒15下部内面へ嵌合させたから、請求項２の場合のようにネットを直接外筒下端面へ固着させる場合に比べてフィルターの形成が容易となる。
【００２２】
請求項４のようにすることで、筒部12と吸上げパイプ４下部内面との嵌合部分長さを一定とすることが出来、その長さを適正に定めることで、吸上げパイプに対してフィルター11が不用意に抜出ししないよう、又着脱は可能であるよう適正に嵌合させることが出来る。
【図面の簡単な説明】
【図１】  一部を断面として示す、本発明ポンプの側面図である。
【図２】  第２実施形態として示す、図１と同様のポンプの側面図である。
【図３】  第３実施形態で示す、図１と同様のポンプの側面図である。
【符号の説明】
３…シリンダ        ４…吸上げパイプ
11…フィルター      14…ネット
20…主筒            21…補助筒
【図１】
0003883167.tif 000002
【図２】
0003883167.tif 000003
【図３】
0003883167.tif 000004